(57)【要約】  再生が困難なスクラッチ式印刷物を提供する。  スクラッチ層１０４の面積を剥離層１０３より小さく、かつ、スクラッチ層１０４からはみ出した剥離層１０３上に印刷層１０５を形成するか、スクラッチ層１０４の面積を剥離層１０４より小さく、かつ、剥離層１０３とスクラッチ層１０４との間と、スクラッチ層１０４からはみ出した剥離層１０３上に、印刷層１０５を形成するか、スクラッチ層１０４上に示温インキからなる印刷層５０１を形成することにより、スクラッチ層１０４を削り落とす際に印刷層１０５、５０１までもが部分的に破壊され、基材１０１上の印刷層１０５は色が薄くなるので、不正行為者がスクラッチ式印刷物を再生しようとする際に、スクラッチ層１０４だけでなく印刷層１０５、５０１の位置や形状及び色の濃さ等も再現しなければならずスクラッチ式印刷物の再生が極めて困難となり、不正行為を防止することができる。【特許請求の範囲】
【請求項１】
基材上に施された秘匿情報を覆う剥離層上に、秘匿情報を隠蔽すると共に削り落とすことが可能なスクラッチ層を備えたスクラッチ式印刷物において、
前記スクラッチ層の面積は前記剥離層より小さく、かつ、前記スクラッチ層からはみ出した前記剥離層上に印刷層を形成したことを特徴とするスクラッチ式印刷物。
【請求項２】
前記印刷層と同一のインキにより前記スクラッチ層上に印刷層を形成したことを特徴とする請求項１記載のスクラッチ式印刷物。
【請求項３】
基材上に施された秘匿情報を覆う剥離層上に、秘匿情報を隠蔽すると共に削り落とすことが可能なスクラッチ層を備えたスクラッチ式印刷物において、
前記スクラッチ層の面積は前記剥離層より小さく、かつ、前記剥離層と前記スクラッチ層との間と、前記スクラッチ層からはみ出した前記剥離層上に、印刷層を形成したことを特徴とするスクラッチ式印刷物。
【請求項４】
前記印刷層は前記剥離層と前記基材とに跨って形成されていることを特徴とする請求項１から３のいずれか１項記載のスクラッチ式印刷物。
【発明の詳細な説明】
【技術分野】
【０００１】
本発明は、スクラッチ式印刷物に関する。
【背景技術】
【０００２】
図１（ａ）はスクラッチ式印刷物としてのスクラッチカードの従来例を示す平面図であり、図１（ｂ）は図１（ａ）のVIｂ−VIｂ線断面図であり、図１（ｃ）は図１（ａ）に示したスクラッチカードのスクラッチ層を削り落とした後の状態を示す平面図である。
スクラッチカード６００は、印刷基材としてのカード基材１０１上に印刷され剥離層１０３で覆われた秘匿情報１０２を隠蔽すると共に削り落とすことが可能なスクラッチ層１０４を備えた印刷物である。【０００３】
通常、スクラッチカード６００を入手した者は、スクラッチ層１０４を例えばコインの角で削り落とすことにより、秘匿情報（図では２等を表すローマ数字「II」が示されているが限定されない）を得ることができるようになっている。この種のスクラッチカード６００は多くの場合抽選に用いられ、「１等」、「２等」等の等級や「１点」、「２点」等の点数を表す数字、「当たり」、「ハズレ」等の文字、「○」、「△」、「×」等の記号、キャラクター等が秘匿情報として印刷されている。【０００４】
尚、剥離層１０３は、スクラッチ層１０４を削り落とす際に秘匿情報まで削り落とされるのを防止するための層であり、通常のニスが用いられる（ニスには限られず透明樹脂であってもよい）。【０００５】
ところで、この種のスクラッチカード６００において、スクラッチ層１０４が複数箇所形成され、それらのうちの特定の箇所だけ削り落とすようにし、「当たり」、「ハズレ」や「点数」を抽選するようにしたものがある（多くの場合、余分に削り落とした場合は無効である。）。
このようなスクラッチカードに対して、スクラッチ層１０４を全て削り落として秘匿情報を得た後に余分に削り落としたスクラッチ層１０４を再形成するといった、不正行為をはたらく者がいる。
そこで、このような不正行為に対し、スクラッチカードの隠蔽画部の周囲に非隠蔽層部を設けることが開示されている（例えば、特許文献１参照）。
【特許文献１】特開平１１−１５７２６５号公報
【発明の開示】
【発明が解決しようとする課題】
【０００６】
しかしながら、上述した従来技術では、微少な凹凸や貫通孔を隠蔽画部に形成しているが、スクラッチカードを販売業者が搬送したり、購入者が複数枚携帯する際のスクラッチカード同士の摩擦により凸部が欠落したり、凹部が形成されたりするおそれがある。
また、凹凸や貫通孔を有する隠蔽画部についてはシルクスクリーン技術を用いることにより再構築されるおそれがある。
そこで、本発明の目的は、再生が困難なスクラッチ式印刷物を提供することにある。
【課題を解決するための手段】
【０００７】
上記課題を解決するため、本発明の請求項１記載の発明は、基材上に施された秘匿情報を覆う剥離層上に、秘匿情報を隠蔽すると共に削り落とすことが可能なスクラッチ層を備えたスクラッチ式印刷物において、前記スクラッチ層の面積は前記剥離層より小さく、かつ、前記スクラッチ層からはみ出した前記剥離層上に印刷層を形成したことを特徴とする。【０００８】
請求項２記載の発明は、請求項１記載の発明において、前記印刷層と同一のインキにより前記スクラッチ層上に印刷層を形成したことを特徴とする。【０００９】
請求項３記載の発明は、基材上に施された秘匿情報を覆う剥離層上に、秘匿情報を隠蔽すると共に削り落とすことが可能なスクラッチ層を備えたスクラッチ式印刷物において、前記スクラッチ層の面積は前記剥離層より小さく、かつ、前記剥離層と前記スクラッチ層との間と、前記スクラッチ層からはみ出した前記剥離層上に、印刷層を形成したことを特徴とする。【００１０】
請求項４記載の発明は、請求項１から３のいずれか１項記載の発明において、前記印刷層は前記剥離層と前記基材とに跨って形成されていることを特徴とする。【００１１】
ここで、請求項１記載の発明によれば、スクラッチ層の面積を剥離層より小さく、かつ、スクラッチ層からはみ出した剥離層上に印刷層を形成することにより、スクラッチ層を削り落とす際に、スクラッチ層からはみ出た剥離層上の印刷層も削り落とされる。また、印刷層を避けてスクラッチ層のみを綺麗に剥離することは極めて困難であり、印刷層の周辺にスクラッチ層が残留する可能性が高い。したがって、不正行為者が秘匿情報を得た後で、スクラッチ式印刷物を再生しようとする場合は、スクラッチ層と削れてしまった印刷層の境界の見当合わせが困難である。また、スクラッチ層だけを削り落とそうとしても、印刷層の周辺にスクラッチ層が残留してしまうので、その上からスクラッチインキで不正に秘匿情報を覆っても、残留したスクラッチ層の上に施したスクラッチインキは、いわゆる二度塗りした状態となり、明らかに不自然なものとなるため偽造品と判断できる。このように本発明は極めて高い偽造防止の効果が得られる。なお、印刷層を複雑な模様や色、特殊な材料で形成することで、更に偽造防止効果を高めることが可能であることは言うまでもない。【００１２】
請求項２記載の発明によれば、印刷層と同一のインキによりスクラッチ層上に印刷層を形成することにより、スクラッチ層からはみ出した剥離層上に加えて、スクラッチ層上にも印刷層を形成するために、偽造防止効果がさらに高まる。また、スクラッチ層からはみ出した剥離層上の印刷層と、スクラッチ層上の印刷層は共に同一のインキであることから、同時に形成することができるので、スクラッチ式印刷物を製造する上で工程数が増えることはない。【００１３】
請求項３記載の発明によれば、スクラッチ層の面積を剥離層より小さく、かつ、剥離層とスクラッチ層との間と、スクラッチ層からはみ出した剥離層上に、印刷層を形成することにより、スクラッチ層を削り落とす際に剥離層とスクラッチ層との間の印刷層と、スクラッチ層からはみ出た剥離層上の印刷層も削り落とされる。したがって不正行為者は、スクラッチ層からはみ出た剥離層上の印刷層の再生に加えて、剥離層とスクラッチ層との間の印刷層をも再生しなければならず、スクラッチ式印刷物の偽造は極めて困難である。特に剥離層とスクラッチ層との間に形成した印刷層は、目視ではどのような形状、色をしているかの判別ができない。したがって不正行為者が偽造するために剥離層とスクラッチ層との間に形成した印刷層の形状、色を把握するには、スクラッチ層のみを取り除かねばならないが、スクラッチ層を削り落とす際には、剥離層とスクラッチ層との間に形成した印刷層も削り落ちるため、実質上、剥離層とスクラッチ層との間に形成した印刷層の形状、色を把握することは不可能である。なお、印刷層を複雑な模様や色、特殊な材料で形成することで、更に偽造防止効果を高めることが可能であることは言うまでもない。【００１４】
請求項４記載の発明によれば、印刷層を剥離層と基材とに跨って形成することにより、剥離層上の印刷層は削り落とされ、基材上の印刷層はこすれて色が薄くなる等の変形がみられる。不正行為者が秘匿情報を得た後で、スクラッチ式印刷物を再生しようとする場合、スクラッチ層は再生できてもスクラッチ層と印刷層との間の境界線や基材上の印刷層の色の濃さ等の変形まで再生するのは困難である。このため偽造防止の効果が得られる。
【発明の効果】
【００１５】
本発明によれば、スクラッチ層の面積を剥離層より小さく、かつ、スクラッチ層からはみ出した剥離層上に印刷層を形成するか、スクラッチ層の面積を剥離層より小さく、かつ、剥離層とスクラッチ層との間と、スクラッチ層からはみ出した剥離層上に、印刷層を形成することにより、スクラッチ層を削り落とす際に印刷層までもが部分的に破壊され、基材上の印刷層はこすれて色が薄くなる等の変形をするので、不正行為者がスクラッチ式印刷物を再生しようとする際に、スクラッチ層だけでなく印刷層の位置や形状及び色の濃さ等も再現しなければならずスクラッチ式印刷物の再生が極めて困難となり、不正行為を防止することができる。
【発明を実施するための最良の形態】
【００１６】
本発明の一実施の形態は、基材上に施された秘匿情報を覆う剥離層上に、秘匿情報を隠蔽すると共に削り落とすことが可能なスクラッチ層を備えたスクラッチ式印刷物であって、スクラッチ層の面積は剥離層より小さく、かつ、スクラッチ層からはみ出した剥離層上に印刷層を形成したものである。また、印刷層と同一のインキによりスクラッチ層上に印刷層を形成してもよい。また、印刷層は剥離層と基材とに跨って形成されていてもよい。【００１７】
本発明の他の実施の形態は、基材上に施された秘匿情報を覆う剥離層上に、秘匿情報を隠蔽すると共に削り落とすことが可能なスクラッチ層を備えたスクラッチ式印刷物であって、スクラッチ層の面積は剥離層より小さく、かつ、剥離層とスクラッチ層との間と、スクラッチ層からはみ出した剥離層上に、印刷層を形成したものである。また、印刷層は剥離層と基材とに跨って形成されていてもよい。【００１８】
本発明の他の実施の形態は、基材上に施された秘匿情報を覆う剥離層上に、秘匿情報を隠蔽すると共に削り落とすことが可能なスクラッチ式印刷物であって、スクラッチ層上に示温インキからなる印刷層を形成したものである。【００１９】
また、印刷層は、地紋、細紋、文字、記号、数字等の複雑な模様や色、特殊な材料で形成してもよい。
ここで、印刷層としては通常のインキを用いてよく、インキに着色パール顔料等の特殊な材料を混合したものを用いてもよい。着色パール顔料としては、例えば、インフィニットカラー、ＧＧ−０２−Ｌ１（（株）資生堂製）虹彩色パール顔料（商品名イリオジン  ２３５  ルチルプラチナグリーン  メルクジャパン（株）製）が挙げられる。
【実施例１】
【００２０】
図２（ａ）は本発明のスクラッチ式印刷物の実施例１を示す平面図であり、図２（ｂ）は図２（ａ）のＩｂ−Ｉｂ線断面図であり、図２（ｃ）は図２（ａ）に示したスクラッチ式印刷物のスクラッチ層を削り落とした後の状態を示す平面図であり、図２（ｄ）は図２（ｃ）のＩｄ−Ｉｄ線断面図である。
以下の実施例ではスクラッチカードの場合で説明する。尚、印刷基材上の各層の厚さは説明上誇張してある。また、図１に示した従来例と同様の部材には共通の符号を用いた。【００２１】
図２（ａ）、（ｂ）に示すスクラッチカード１００は、印刷基材としてのカード基材（例えば、紙）１０１と、カード基材１０１上に印刷され剥離層１０３で覆われた秘匿情報１０２（図ではローマ数字の「II」であるが限定されない。）を隠蔽すると共に削り落とすことが可能なスクラッチ層１０４と、スクラッチ層１０４の外周部を剥離層１０３ごと包囲するように形成された印刷層１０５とで構成されている。すなわち、スクラッチカード１００は、スクラッチ層の面積を剥離層１０３より小さく、かつ、スクラッチ層１０３からはみ出した剥離層１０３上に印刷層１０５を形成したものである。【００２２】
このスクラッチカード１００は、カード基材１０１に秘匿情報１０２としての「II」を通常のインキかインクジェットプリンタで印刷（印字）し、「II」を覆うようにニスを塗布（印刷）し、ニスを乾燥させて剥離層（図では円形であるが限定されない）１０３を形成後「II」を隠蔽するようにスクラッチ層１０４（図では円形であるが限定されない）を印刷し、スクラッチ層１０４の外周部を包囲するように印刷層１０５を印刷することで得られる。【００２３】
次に、スクラッチカード１００のスクラッチ層１０４を削り落とすと剥離層１０３は透明なため図２（ｃ）のように秘匿情報１０２が現れる。不正行為者が秘匿情報を得た後、スクラッチカード１００を再生しようとした場合、単にスクラッチ層１０４だけを再生するだけならばスクラッチ層用のインキを塗布すればよいが、スクラッチ層１０４の外周部にはスクラッチ層１０４を包囲するように印刷層１０５が形成されているので、スクラッチ層１０４を削り落とす際に印刷層１０５までも削り落としてしまう（このとき剥離層１０３上の印刷層１０５は完全に削り落とせてもカード基材１０１上の印刷層１０５は削り落とせず、こすれて色が薄くなるだけである。）。
このため、不正行為者がスクラッチカード１００を再生しようとする場合、スクラッチ層１０４は再生できたとしても既に削り落とされた印刷層１０５の位置や形状や色の濃さまで再生するのは困難であるため、スクラッチカード１００の再生は困難となり、偽造防止に効果がある。
尚、印刷層を複雑な模様や色、特殊な材料で形成することで、更に偽造防止効果を高めることが可能であることは言うまでもない。
【実施例２】
【００２４】
図３（ａ）は本発明のスクラッチ式印刷物の実施例２を示す平面図であり、図３（ｂ）は図３（ａ）のIIｂ−IIｂ線断面図であり、図３（ｃ）は図３（ａ）に示したスクラッチ式印刷物のスクラッチ層を削り落とした後の状態を示す平面図であり、図３（ｄ）は図３（ｃ）のIIｄ−IIｄ線断面図である。
実施例２と実施例１との相違点は、印刷層１０５、２０１がスクラッチ層１０４の外周部だけでなくスクラッチ層１０４上の一部にも形成されている点である。
すなわち、このスクラッチカード２００は、カード基材１０１と、カード基材１０１上に印刷された秘匿情報１０２としての「II」と、秘匿情報１０２を隠蔽すると共に削り落とすことが可能なスクラッチ層１０４と、剥離層１０３を覆うと同時にスクラッチ層１０４の一部を覆うように形成された印刷層１０５、２０１とで構成されている。つまり、このスクラッチカード２００は、印刷層１０５と同一のインキによりスクラッチ層１０４上に印刷層５０１を形成したものである。【００２５】
このスクラッチカード２００は、カード基材１０１に「II」を印刷し、「II」を覆うようにニスを塗布（印刷）し、ニスを乾燥させて剥離層１０３を形成した後「II」を隠蔽するようにスクラッチ層１０４を印刷し、スクラッチ層１０４の外周部を包囲するように印刷層１０５を印刷すると同時にスクラッチ層１０４の上の一部に印刷層２０１を印刷することで得られる。【００２６】
このスクラッチカード２００は、秘匿情報１０２を得る際には必ずスクラッチ層１０４の上の印刷層２０１も同時に削り落とさなければならない。このとき剥離層１０３上の印刷層１０５は完全に削り落とすことができてもカード基材１０１上の印刷層１０５は完全には消えず色が薄くなるだけである。このため、不正行為者が秘匿情報１０２を得た後でスクラッチ層１０４を再生しようとした場合、外周部の印刷層１０５だけでなくスクラッチ層１０４の上の印刷層２０１やカード基材１０１上の印刷層１０５までも再生しなければならず、スクラッチカード２００の再生は極めて困難となり、偽造防止にはさらに効果がある。【００２７】
印刷層と同一のインキによりスクラッチ層上に印刷層を形成することにより、スクラッチ層からはみ出した剥離層上に加えて、スクラッチ層上にも印刷層を形成するために、偽造防止効果がさらに高まる。また、スクラッチ層からはみ出した剥離層上の印刷層と、スクラッチ層上の印刷層は共に同一のインキであることから、同時に形成することができるので、スクラッチ式印刷物を製造する上で工程数が増えることはない。
【実施例３】
【００２８】
図４（ａ）は本発明のスクラッチ式印刷物の実施例３を示す平面図であり、図４（ｂ）は図４（ａ）のIIIｂ−IIIｂ線断面図であり、図４（ｃ）は図４（ａ）に示したスクラッチ式印刷物のスクラッチ層を削り落とした後の状態を示す平面図であり、図４（ｄ）は図４（ｃ）のIIIｄ−IIIｄ線断面図である。
実施例３と実施例１との相違点は、剥離層を印刷層で覆い、印刷層の上にスクラッチ層を形成した点である。
すなわち、このスクラッチカード３００は、カード基材１０１と、カード基材１０１上に印刷された秘匿情報１０２としての「II」を覆う剥離層１０３と、剥離層１０３ごと秘匿情報を覆う印刷層３０１と、印刷層３０１の上に形成され削り落とすことが可能なスクラッチ層１０４とで構成されたものである。つまり、このスクラッチカード３００は、スクラッチ層１０４の面積を剥離層１０３より小さく、かつ、剥離層１０３とスクラッチ層１０４との間と、スクラッチ層１０４からはみ出した剥離層１０３上に、印刷層３０１を形成したものである。【００２９】
このスクラッチカード３００は、カード基材１０１に「II」を印刷し、「II」を覆うようにニスを塗布（印刷）し、ニスを乾燥させて剥離層１０３を形成後剥離層１０３を覆うように印刷層３０１を印刷し、印刷層３０１の上に「II」を覆うようにスクラッチ層１０４を印刷することで得られる。尚、スクラッチ層１０４の上に他の印刷層を形成してもよい（但し、実施例２と比較して他の印刷層を形成する分だけ工程が増える）。【００３０】
このスクラッチカード３００は、スクラッチ層１０４を削り落とす際に剥離層１０３とスクラッチ層１０４との間の印刷層３０１と、スクラッチ層１０４からはみ出た剥離層１０３上の印刷層３０１も削り落とされる。したがって不正行為者は、スクラッチ層１０４からはみ出た剥離層１０３上の印刷層３０１の再生に加えて、剥離層１０３とスクラッチ層１０４との間の印刷層３０１をも再生しなければならず、スクラッチ式印刷物の偽造は極めて困難である。特に剥離層１０３とスクラッチ層１０４との間に形成した印刷層３０１は、目視ではどのような形状、色をしているかの判別ができない。したがって不正行為者が偽造するために剥離層１０３とスクラッチ層１０４との間に形成した印刷層３０１の形状、色を把握するには、スクラッチ層１０４のみを取り除かねばならないが、スクラッチ層１０４を削り落とす際には、剥離層１０３とスクラッチ層１０４との間に形成した印刷層３０１も削り落ちるため、実質上、剥離層１０３とスクラッチ層１０４との間に形成した印刷層３０１の形状、色を把握することは不可能である。なお、印刷層３０１を複雑な模様や色、特殊な材料で形成することで、更に偽造防止効果を高めることが可能であることは言うまでもない。
【実施例４】
【００３１】
図５（ａ）は本発明のスクラッチ式印刷物の実施例４を示す平面図であり、図５（ｂ）は図５（ａ）のIVｂ−IVｂ線断面図であり、図５（ｃ）は図５（ａ）に示したスクラッチ式印刷物のスクラッチ層を削り落とした後の状態を示す平面図である。
実施例４と実施例１との相違点は、スクラッチ層の外周部を剥離層ごと包囲すると共に一部がスクラッチ層と剥離層との間に外周から内側に向かうように印刷層を形成した点である。【００３２】
このスクラッチカード４００は、カード基材１０１に「II」を印刷し、「II」を覆うようにニスを塗布（印刷）し、ニスを乾燥させて剥離層１０３を形成した後、剥離層１０３を包囲すると共にその一部が外周から内側に向かって剥離層１０３上にはみ出すように印刷層１０５−３を形成し、剥離層１０３上に印刷層１０５−３のはみ出し部ごとスクラッチ層１０４―３を形成することにより得られる。また、このスクラッチカード４００は、スクラッチ層１０４−３を削り落とす前には  印刷層１０５−３のうちの剥離層１０３上の部分の上に形成されたスクラッチ層１０４−３の領域だけが他のスクラッチ層１０４−３の領域よりも盛り上がるので、目視確認することができる。このスクラッチ層１０４−３の盛り上がり領域は、剥離層１０３上にスクラッチインキを印刷する際、スクラッチインキの膜厚が均等なため、剥離層１０３上にくいこんだ印刷層１０５−３のインキの膜厚分だけ盛り上がることにより形成される。【００３３】
このスクラッチカード４００は、スクラッチ層の外周部を剥離層ごと包囲すると共に一部がスクラッチ層と剥離層との間に外周から内側に向かうように印刷層を形成することにより、スクラッチ層を印刷した後スクラッチ層の外周部の一部が盛り上がることを目視することができるが、一旦スクラッチ層を削り落として秘匿情報を得た後、不正行為者がスクラッチ層を形成しようとした場合、スクラッチ層が平坦となり、印刷層上のスクラッチ層の盛り上がりまで再現することは困難なため、偽造防止に効果がある。
すなわち、不正行為者は、スクラッチ層からはみ出た剥離層上の印刷層の再生に加えて、剥離層とスクラッチ層との間の印刷層をも再生しなければならず、スクラッチ式印刷物の偽造は極めて困難である。特に剥離層とスクラッチ層との間に形成した印刷層は、目視ではどのような形状、色をしているかの判別ができない。したがって不正行為者が偽造するために剥離層とスクラッチ層との間に形成した印刷層の形状、色を把握するには、スクラッチ層のみを取り除かねばならないが、スクラッチ層を削り落とす際には、剥離層とスクラッチ層との間に形成した印刷層も削り落ちるため、実質上、剥離層とスクラッチ層との間に形成した印刷層の形状、色を把握することは不可能である。なお、印刷層を複雑な模様や色、特殊な材料で形成することで、更に偽造防止効果を高めることが可能であることは言うまでもない。
【実施例５】
【００３４】
図６（ａ）は本発明のスクラッチ式印刷物の実施例５を示す平面図であり、図６（ｂ）は図６（ａ）のＶｂ−Ｖｂ線断面図であり、図６（ｃ）は図６（ａ）に示したスクラッチ式印刷物のスクラッチ層を削り落とした後の状態を示す平面図である。
実施例５と実施例１との相違点は、スクラッチ層の上に示温インキからなりスクラッチ層の一部を覆うように印刷層を形成した点である。
すなわち、このスクラッチカード５００は、カード基材１０１と、カード基材１０１上に印刷され秘匿情報としての「II」を覆う剥離層１０３と、剥離層１０３の上に形成され削り落とすことが可能なスクラッチ層１０４と、スクラッチ層１０４の上に示温インキからなりスクラッチ層１０４の一部を覆うように形成された印刷層５０１とで構成されたものである。【００３５】
このスクラッチカード５００は、カード基材１０１に「II」を印刷し、「II」を覆うようにニスを塗布（印刷）し、ニスを乾燥させて剥離層１０３の形成後剥離層１０３を覆うようにスクラッチ層１０４を印刷し、スクラッチ層１０４の上に一部に示温インキからなる印刷層５０１を印刷することで得られる。【００３６】
このスクラッチカード５００は、スクラッチ層１０４を削り落として秘匿情報１０２を得た後、不正行為者がスクラッチカード５００を再生しようとした場合、スクラッチ層１０４と同時に削り落とした印刷層５０１まで再現するのは非常に困難  で、また、示温インキは手に入りにくいため、スクラッチ式印刷物の再生は困難となり、偽造防止に効果がある。
【産業上の利用可能性】
【００３７】
スクラッチカード、宣伝用のチラシ広告、パンフレット等に利用できる。
【図面の簡単な説明】
【００３８】
【図１】（ａ）はスクラッチ式印刷物としてのスクラッチカードの従来例を示す平面図であり、（ｂ）は（ａ）のVIｂ−VIｂ線断面図であり、（ｃ）は（ａ）に示したスクラッチカードのスクラッチ層を削り落とした後の状態を示す平面図である。
【図２】（ａ）は本発明のスクラッチ式印刷物の実施例１を示す平面図であり、（ｂ）は（ａ）のＩｂ−Ｉｂ線断面図であり、（ｃ）は（ａ）に示したスクラッチ式印刷物のスクラッチ層を削り落とした後の状態を示す平面図であり、（ｄ）は（ｃ）のＩｄ−Ｉｄ線断面図である。
【図３】（ａ）は本発明のスクラッチ式印刷物の実施例２を示す平面図であり、（ｂ）は（ａ）のIIｂ−IIｂ線断面図であり、（ｃ）は（ａ）に示したスクラッチ式印刷物のスクラッチ層を削り落とした後の状態を示す平面図であり、（ｄ）は（ｃ）のIIｄ−IIｄ線断面図である。
【図４】（ａ）は本発明のスクラッチ式印刷物の実施例３を示す平面図であり、（ｂ）は（ａ）のIVｂ−IVｂ線断面図であり、（ｃ）は（ａ）に示したスクラッチ式印刷物のスクラッチ層を削り落とした後の状態を示す平面図であり、（ｄ）は（ｃ）のIIIｄ−IIIｄ線断面図である。
【図５】（ａ）は本発明のスクラッチ式印刷物の実施例４を示す平面図であり、（ｂ）は（ａ）のIVｂ−IVｂ線断面図であり、（ｃ）は（ａ）に示したスクラッチ式印刷物のスクラッチ層を削り落とした後の状態を示す平面図である。
【図６】（ａ）は本発明のスクラッチ式印刷物の実施例５を示す平面図であり、（ｂ）は（ａ）のＶｂ−Ｖｂ線断面図であり、（ｃ）は（ａ）に示したスクラッチ式印刷物のスクラッチ層を削り落とした後の状態を示す平面図である。
【符号の説明】
【００３９】
１００    スクラッチカード
１０１    カード基材（印刷基材）
１０２    秘匿情報
１０３    剥離層
１０４    スクラッチ層
１０５    印刷層
【図１】
2006051832.tif 000002
【図２】
2006051832.tif 000003
【図３】
2006051832.tif 000004
【図４】
2006051832.tif 000005
【図５】
2006051832.tif 000006
【図６】
2006051832.tif 000007
【国際調査報告】
2006051832.tif 000008
2006051832.tif 000009
2006051832.tif 000010
2006051832.tif 000011